(57)【要約】【課題】  被見物または被見物載置台の位置調整並びに方向調整を柔軟且つ容易に行い得る利便性の高いスタンドおよびホルダーを提供する。【解決手段】  スタンドは、被見物または被見物載置台を保持する第１ホルダーと、第１ホルダーを支持するアームと、アームの基端を支持するアームホルダーとからなる。第１ホルダーは、アームの先端付近に所定の軸線の回りに回動自在に且つ着脱自在に取り付けられ、前記被見物または被見物載置台の背面に当接しこれを支持する傾斜面を有する。第１ホルダーは、当該第１ホルダーをアームの先端付近から取り外して当該第１ホルダーの前記軸線方向の一端と他端とを逆転させた姿勢でアーム先端付近に再度取り付け可能な構造を有する。【選択図】    図１
2005137882.tif 000002
【特許請求の範囲】
【請求項１】
被見物または被見物載置台を保持する第１ホルダーと、前記第１ホルダーを支持するアームと、前記アームの基端を支持するアームホルダーとからなるスタンドであって、
前記第１ホルダーは、前記アームの先端付近に所定の軸線の回りに回動自在に且つ着脱自在に取り付けられ、前記被見物または被見物載置台の背面に当接しこれを支持する傾斜面を有しており、
前記第１ホルダーは、当該第１ホルダーを前記アームの先端付近から取り外して当該第１ホルダーの前記軸線方向の一端と他端とを逆転させた姿勢で前記アーム先端付近に再度取り付け可能な構造を有していることを特徴とするスタンド。
【請求項２】
請求項１記載のスタンドであって、
前記アームの先端付近が断面円形の軸部からなり、
前記第１ホルダーには、前記軸部が前記軸線方向へ移動可能に且つ回動自在に挿入される挿入孔が形成されており、前記第１ホルダーは、前記挿入孔に挿入されている前記軸部を挟持するクリップを備えることを特徴とするスタンド。
【請求項３】
請求項２記載のスタンドであって、
前記第１ホルダーの本体の外壁において、前記挿入孔の中心軸方向からみて前記挿入孔の中心点に関して対称な２つの位置にそれぞれ周方向に沿った凹状の溝が形成されており、
前記クリップは、前記凹状の溝の一方または双方に係合する爪部を有することを特徴とするスタンド。
【請求項４】
請求項２または３記載のスタンドであって、前記第１ホルダーは、前記被見物または被見物載置台を係止する係止部を有し、前記係止部に前記傾斜面が形成されていることを特徴とするスタンド。
【請求項５】
請求項４項記載のスタンドであって、前記第１ホルダーは、前記アームの先端付近に回動自在に取り付けられる本体と、前記本体から離れた位置に前記係止部を位置決めして前記本体に接続する接続部と、を有することを特徴とするスタンド。
【請求項６】
請求項１から５のうちのいずれか１項に記載のスタンドであって、
前記アームは、
前記アームホルダーにより回動自在に支持される一端を有するＬ字形状の第１アーム部材と、
前記第１ホルダーが取り付けられる一端を有するＬ字形状の第２アーム部材と、
前記第１アーム部材の他端と前記第２アーム部材の他端とを回動自在に連結するジョイントと、
からなることを特徴とするスタンド。
【請求項７】
被見物を支持するスタンドであって、
第１アーム部材と、
前記第１アーム部材の一端を支持するアームホルダーと、
前記被見物または被見物載置台を保持する第１ホルダーと、
前記第１ホルダーが回動自在に取り付けられる一端を有する第２アーム部材と、
前記第１アーム部材の他端と前記第２アーム部材の他端とを連結するジョイントと、
からなり、
前記第１アーム部材の他端は、第１の軸線の回りに回動自在に前記ジョイントと結合し、前記第２アーム部材の他端は、前記第１の軸線と異なる第２の軸線の回りに回動自在に前記ジョイントと結合していることを特徴とするスタンド。
【請求項８】
請求項７記載のスタンドであって、前記第１アーム部材および前記第２アーム部材はそれぞれＬ字形状を有することを特徴とするスタンド。
【請求項９】
請求項７または８記載のスタンドであって、
前記ジョイントは、
前記第１アーム部材の他端に固定されている第１連結部材と、
前記第２アーム部材の他端に前記第２の軸線の回りに回動自在に取り付けられている第２連結部材と、
前記第１連結部材と前記第２連結部材とを前記第１の軸線の回りに回動自在に結合する結合具と、からなることを特徴とするスタンド。
【請求項１０】
請求項９記載のスタンドであって、
前記第２アーム部材の他端が断面円形の軸部からなり、
前記第２連結部材は、前記第２の軸線方向の中心軸を有し且つ前記第２アーム部材の軸部が回動自在に挿入される挿入孔を持つ本体と、前記本体に締付力を締緩自在に付与する締付具と、からなり、
前記第２連結部材の本体には、前記挿入孔に連通し当該本体の一部を複数片に分割するスリットが形成されていることを特徴とするスタンド。
【請求項１１】
請求項１０記載のスタンドであって、前記第２連結部材の本体は、プラスチック材料からなる一体成形品であることを特徴とするスタンド。
【請求項１２】
請求項９から１１のうちのいずれか１項に記載のスタンドであって、前記第１連結部材と前記第２連結部材間に前記第１の軸線の方向への締付力を締緩自在に付与する締付具をさらに備えることを特徴とするスタンド。
【請求項１３】
請求項７から１２のうちのいずれか１項に記載のスタンドであって、前記第２アーム部材の一端が断面円形の軸部からなり、
前記第１ホルダーは、
前記第２アーム部材の軸部が回動自在に挿入される挿入孔を持つ本体と、
前記本体に締付力を締緩自在に付与する締付具と、からなり、
前記本体には、前記挿入孔に連通し当該本体の一部を複数片に分割するスリットが形成されていることを特徴とするスタンド。
【請求項１４】
請求項１３記載のスタンドであって、前記第１ホルダーの本体は、プラスチック材料からなる一体成形品であることを特徴とするスタンド。
【請求項１５】
請求項７から１４のうちのいずれか１項に記載のスタンドであって、前記第１アーム部材の一端が断面円形の軸部からなり、
前記アームホルダーは、
前記第１アーム部材の軸部が回動自在に挿入される挿入孔を持つ本体と、
前記本体に締付力を締緩自在に付与する締付具と、からなり、
前記本体には、前記挿入孔に連通し当該本体の一部を複数片に分割するスリットが形成されていることを特徴とするスタンド。
【請求項１６】
請求項１５記載のスタンドであって、前記アームホルダーの本体は、プラスチック材料からなる一体成形品であることを特徴とするスタンド。
【請求項１７】
被見物を保持するホルダーであって、
前記被見物を後方から支持する受け板と、
前記受け板に形成されたガイドに沿って前記受け板の幅方向にスライド可能に前記受け板に設けられ且つ前方に突出する突出部を有するスライダと、
前記被見物を前方から保持するように前記受け板の厚み方向にスライド可能に前記突出部に取り付けられた押さえ板と、
前記押さえ板を前記突出部に締緩自在に結合する締付具と、
を備えることを特徴とするホルダー。
【請求項１８】
被見物を保持するホルダーであって、
前記被見物を後方から支持する受け板と、
前記受け板に形成されたガイドに沿って前記受け板の幅方向にスライド可能に前記受け板に設けられ且つ前方に突出する突出部を有するスライダと、
前記被見物を前方から保持するように前記受け板の幅方向の軸線の回りに回動可能に前記突出部に取り付けられた押さえ板と、
前記押さえ板を前記突出部に締緩自在に結合する締付具と、
を備えることを特徴とするホルダー。
【請求項１９】
請求項１８記載のホルダーであって、一対の前記スライダが前記受け板に並設され、互いに案内し且つ移動可能に係合していることを特徴とするホルダー。
【請求項２０】
請求項１８記載のホルダーであって、一対の前記スライダが金属プレートからなり、重ね合わさることを特徴とするホルダー。
【請求項２１】
請求項１７から２０のうちのいずれか１項に記載のホルダーであって、前記スライダを前記受け板に締緩自在に結合する締付具をさらに備えることを特徴とするホルダー。
【請求項２２】
請求項１７から２１のうちのいずれか１項に記載のホルダーであって、前記受け板の前面に沿ってスライド可能に前記受け板に設けられ且つ前記被見物を下方から支持する支持部材をさらに備えることを特徴とするホルダー。
【請求項２３】
請求項２２記載のホルダーであって、一対の前記支持部材を備えることを特徴とするホルダー。
【請求項２４】
請求項２２または２３記載のホルダーであって、前記支持部材を前記受け板に締緩自在に結合する締付具をさらに備え、前記支持部材は、前記締付具により前記受け板に結合される点を中心に回動自在に取り付けられていることを特徴とするホルダー。
【請求項２５】
請求項１７から２４のうちのいずれか１項に記載のホルダーと、前記ホルダーを支持するアームと、前記アームの基端を支持するアームホルダーとからなることを特徴とするスタンド。
【発明の詳細な説明】
【技術分野】
【０００１】
本発明は、被見物を支持するスタンドおよびホルダーに関し、特に、印刷物、電子ペーパーもしくは薄型ディスプレイなどの平面状の被見物を支持するのに好適なスタンドおよびホルダーに関する。
【背景技術】
【０００２】
ベットまたは机上などで書物を手で持たずに読むための補助器具として、書物を載せる載置台をアームの先端に取り付けてなるスタンドが知られている。アームの基端はベッドのフレームまたは机の天板などに固定されて支持され、アームは、比較的軽量の複数本の棒状部材を継ぎ手で回動自在に接続することで構成されている。この種のスタンドでは、ユーザーの姿勢や目線に合わせてアームを折り曲げて、アーム先端に取り付けられた載置台を都合良く位置決めすることが可能である。この種のスタンドは、たとえば、特許文献１（特開２００２−２９１５３８号公報）、特許文献２（特開２００３−２８４６１１号公報）に開示されている。
【０００３】
しかしながら、従来のスタンドでは、アーム先端に取り付けられた載置台の位置や方向を柔軟に調整することが難しく、使い勝手が悪いという問題があった。たとえば、特許公報１に記載されるスタンドでは、書物受け部すなわち載置台とアーム先端とは、２組のボルトとナットとを用いて連結されており、ボルトを緩めると、載置台はアーム先端に対して鉛直軸または水平軸の回りに回転可能になり、ボルトを緊締すると、載置台の向きは固定される。しかしながら、アームの可動範囲が限られているため、ユーザーの姿勢，たとえば、仰向け姿勢、俯せ姿勢もしくは上体が起きた姿勢などに応じて載置台の位置や方向を柔軟に調整することが難しい。また、比較的重い書物を載置台に載せた場合、ボルトとナットによる連結構造が書物の荷重に耐えきれず、載置台が姿勢を維持できずに次第に下方を向くことが起こり得る。
【特許文献１】特開２００２−２９１５３８号公報
【特許文献２】特開２００３−２８４６１１号公報
【発明の開示】
【発明が解決しようとする課題】
【０００４】
上記に鑑みて本発明の目的は、被見物または被見物載置台の位置調整並びに方向調整を柔軟且つ容易に行い得る利便性の高いスタンドおよびホルダーを提供することである。
【課題を解決するための手段】
【０００５】
上記目的を達成するべく、本発明によるスタンドは、被見物または被見物載置台を保持する第１ホルダーと、前記第１ホルダーを支持するアームと、前記アームの基端を支持するアームホルダーとからなるスタンドであって、前記第１ホルダーは、前記アームの先端付近に所定の軸線の回りに回動自在に且つ着脱自在に取り付けられ、前記被見物または被見物載置台の背面に当接しこれを支持する傾斜面を有しており、前記第１ホルダーは、当該第１ホルダーを前記アームの先端付近から取り外して当該第１ホルダーの前記軸線方向の一端と他端とを逆転させた姿勢で前記アーム先端付近に再度取り付け可能な構造を有していることを特徴としている。
【０００６】
本発明による他のスタンドは、被見物を支持するスタンドであって、第１アーム部材と、前記第１アーム部材の一端を支持するアームホルダーと、前記被見物または被見物載置台を保持する第１ホルダーと、前記第１ホルダーが回動自在に取り付けられる一端を有する第２アーム部材と、前記第１アーム部材の他端と前記第２アーム部材の他端とを連結するジョイントと、からなり、前記第１アーム部材の他端は、第１の軸線の回りに回動自在に前記ジョイントと結合し、前記第２アーム部材の他端は、前記第１の軸線と異なる第２の軸線の回りに回動自在に前記ジョイントと結合していることを特徴としている。
【０００７】
本発明によるホルダーは、被見物を保持するホルダーであって、前記被見物を後方から支持する受け板と、前記受け板に形成されたガイドに沿って前記受け板の幅方向にスライド可能に前記受け板に設けられ且つ前方に突出する突出部を有するスライダと、前記被見物を前方から保持するように前記受け板の厚み方向にスライド可能に前記突出部に取り付けられた押さえ板と、前記押さえ板を前記突出部に締緩自在に結合する締付具と、を備えることを特徴としている。
【０００８】
本発明による他のホルダーは、被見物を保持するホルダーであって、前記被見物を後方から支持する受け板と、前記受け板に形成されたガイドに沿って前記受け板の幅方向にスライド可能に前記受け板に設けられ且つ前方に突出する突出部を有するスライダと、前記被見物を前方から保持するように前記受け板の幅方向の軸線の回りに回動可能に前記突出部に取り付けられた押さえ板と、前記押さえ板を前記突出部に締緩自在に結合する締付具と、を備えることを特徴としている。
【０００９】
本発明による更に他のスタンドは、前記ホルダーと、前記ホルダーを支持するアームと、前記アームの基端を支持するアームホルダーとからなることを特徴としている。
【発明を実施するための最良の形態】
【００１０】
以下、図面を参照しつつ本発明に係る種々の実施例について説明する。
【００１１】
＜第１実施例＞
図１は、本発明による第１実施例のスタンドＳＴ１の構成を概略的に示す正面図である。このスタンドＳＴ１は、たとえば、ベッドの手摺りや、当該ベッドの傍らに配置したテーブルやボックスにクランプで締め付けて固定して使用するものである。
【００１２】
このスタンドＳＴ１は、書物，電子書籍もしくは電子ディスプレイなどの被見物ＢＫを載せる載置台３を保持するホルダー（第１ホルダー）１と、Ｌ字形状のアーム部材１２，１３と、基台１６に固定されるアームホルダー５とを有するものである。第１アーム部材１２の基端は、アームホルダー５によって中心軸線１４Ａの回りに回動自在に支持されている。第２アーム部材１３の先端付近は、鉛直上方に起立し、この先端付近にホルダー１が中心軸線１４Ｃの回りに回動自在に且つ着脱自在に装着されている。
【００１３】
第１アーム部材１２と第２アーム部材１３の各々はＬ字形状を有し、たとえば、強度と軽量化を考慮して、中空状で断面円形の金属製パイプをアングル状に折り曲げ加工することで作製される。第１アーム部材１２は、折り曲げ位置から一方に延びる接続軸部１２ａと、そこから他方に延びる取付軸部１２ｂとからなり、また、第２アーム部材１３は、折り曲げ位置から一方に延びる接続軸部１３ａと、そこから他方に延びる支持軸部（ホルダー装着軸）１３ｂとからなる。本実施例では、第１アーム部材１２を構成する接続軸部１２ａと取付軸部１２ｂとは、一本の金属製パイプで構成されているが、この代わりに、独立した部材同士を接合することで構成されてもよい。第２アーム部材１３を構成する接続軸部１３ａと支持軸部１３ｂについても同様である。
【００１４】
また、第１アーム部材１２と第２アーム部材１３は、ジョイント１９によって中心軸線１４Ｂの回りに回動自在に連結されている。すなわち、第１アーム部材１２の接続軸部１２ａの先端部にはプラスチック製の連結部材２０Ａが固定され、第２アーム部材１３の接続軸部１３ａの先端部にはプラスチック製の連結部材２０Ｂが固定されており、これら連結部材２０Ａ，２０Ｂを中心軸線１４Ｂの回りに互いに回動自在に連結することで、第１アーム部材１２と第２アーム部材１３とが連結されている。
【００１５】
アームホルダー５は、ネジ（図示せず）または接着剤などを用いてクランプ１１Ａの側面に固定されており、クランプ１１Ａは、固定用ネジ１１Ｂを用いて基台１６を挟持して基台１６に固定されている。固定用ネジ１１Ｂを緩めてアームホルダー５を基台１６から取り外し、別の基台（図示せず）に固定することも可能である。また、アームホルダー５は、取付軸部１２ｂが挿入される円筒形状の挿入孔（図示せず）を有し、その本体の上下対称位置には外周溝７，７が形成されている。取付軸部１２ｂは、挿入孔に挿入された状態でクリップ９により挟持される。クリップ９は、爪部８を有しており、この爪部８が、外周溝７，７のうち下方の外周溝７に係合される。
【００１６】
図２は、スタンドＳＴ１の先端部付近（台装着部）を拡大表示する側面図であり、図３は、ホルダー１を概略的に示す斜視図である。図３に示されるように、ホルダー１の本体４には、支持軸部１３ｂの外径と略一致する内径を有する円筒形状の挿入孔６が形成されており、この挿入孔６に、支持軸部１３ｂが中心軸線１４Ｄの方向へスライド可能に且つ中心軸線１４Ｄの回りに回動自在に挿入される。ホルダー１が支持軸部１３ｂに取り付けられたとき、挿入孔６の中心軸線１４Ｄは、図１に示した中心軸線１４Ｃと略一致することとなる。また、ホルダー１の本体４の外壁には、中心軸線１４Ｄの方向からみて挿入孔６の中心点６ｃに関して対称な２つの位置にそれぞれ、周方向に沿った凹状の外周溝７，７が形成されている。さらに、その本体４から離れた位置にフック２が形成されており、フック２と本体４とは接続部１０を介して接続している。フック２は、傾斜面２ｃの側方に係止部２Ａａ，２Ａｂ，２Ｂａ，２Ｂｂを有している。また、図２に示されるように、フック２は、その前方に中心軸線１４Ｄに直交する水平面に対して角度θだけ順傾斜する傾斜面２ｃを有している。この傾斜面２ｃは、載置台３の背面と当接してこれを支持するものである。このようなホルダー１は、プラスチック材料を用いた一体成形により作製され得る。
【００１７】
図４に示されるように、載置台３の背面３ｂにはフック受け部１５，１５が形成されており、これらフック受け部１５，１５に、ホルダー１の係止部２Ｂａ，２Ａａ（または２Ａｂ，２Ｂｂ）を係合することで載置台３をホルダー１に固定することができる。なお、図５に、図４に示したフック受け部１５，１５のＪ１−Ｊ１線に沿った断面図を示す。
【００１８】
図２に示されるように、支持軸部１３ｂはホルダー１の挿入孔６に挿入され、ホルダー１は、爪部８を持つクリップ９を用いて支持軸部１３ｂに取り付けられる。図６に示されるように、クリップ９は、プラスチック製の一体成形品であり、後部の開閉レバー２１，２２と前部の挟持部２３，２４と爪部８とからなる。なお、図７は、図６に示したクリップ９のＪ２−Ｊ２線に沿った断面図である。ユーザーが開閉レバー２１，２２を内側に曲げると、これに応じて挟持部２３，２４が外側に開く。このときに支持軸部１３ｂなどの被挟持物を挟持部２３，２４の間に入れることができる。このようなクリップ９は、アームホルダー５を取付軸部１２ｂに取り付ける際にも使用される。
【００１９】
図２を参照すると、爪部８は、ホルダー１の本体４の一方の外周溝７に係止し、クリップ９は、支持軸部１３ｂを挟持しつつホルダー１の本体４の底部に当接してこれを下方から支持している。このように、周方向に形成されている外周溝７に爪部８が係止するため、ホルダー１は、中心軸線１４Ｃの方向への移動を制限され、且つ支持軸部１３ｂに対して周方向に適度な摩擦力を受けつつ回転することができる。また、載置台３は、図３に示した一対の係止部２Ａａ，２Ｂａによりホルダー１に係止され固定される。ユーザーは、載置台３に載置される被見物ＢＫを斜め上方より見下ろすように視線方向１７から見ることができ、同時に、載置台３を中心軸線１４Ｃの回りに所望の角度だけ回転させ静止させることが可能である。かかる載置台３の姿勢は、たとえば、ベッドより上体を起こして読書するのに適している。
【００２０】
図３に示したように、ホルダー１の本体４は、挿入孔６の中心点６ｃに関して上下対称な構造を有している。よって、図２に示すように、この本体４は、ホルダー１を支持軸部１３ｂから取り外して当該ホルダー１の中心軸線１４Ｃの方向の一端と他端とを逆転させた姿勢、すなわち、上下反転の姿勢で支持軸部１３ｂに再度取り付け可能な構造を有している。ホルダー１を上下反転の姿勢で支持軸部１３ｂに取り付けたとき、載置台３は、図３に示した一対の係止部２Ａｂ，２Ｂｂによりホルダー１に係止され固定される。また、図２の二点鎖線で示されるようにホルダー１の傾斜面２ｃは、中心軸線１４Ｃに垂直な水平面に対して角度−θだけ逆傾斜し、載置台３も下方を向くこととなる。このとき、ユーザーは、載置台３に載置される被見物ＢＫを斜め下方から見上げるように視線方向１８から見ることができ、同時に、載置台３を中心軸線１４Ｃの回りに所望の角度だけ回転させることが可能である。かかる載置台３の姿勢は、たとえば、ベッドに仰向けになり、斜め上方に視線を向けて読書するのに適している。
【００２１】
ここで、図２に示されるように、フック２の傾斜面２ｃは、接続部１０を介してホルダー１の本体４から離れた位置に配されているため、ホルダー１を支持軸部１３ｂから取り外し、上下反転させて支持軸部１３ｂに再度取り付けても、載置台３を、支持軸部１３ｂと干渉しない位置に配することが可能である。また、載置台３が支持軸部１３ｂと干渉することを確実に防ぐべく、支持軸部１３ｂの軸長を短く設定してもよい。
【００２２】
図１を参照すると、基台１６に固定されている第１アーム部材１２の接続軸部１２ａは、接続長Ｌ１を旋回半径として中心軸線１４Ａの回りを旋回することができ、第２アーム部材１３の接続軸部１３ａは、さらに、接続長Ｌ２を旋回半径として中心軸線１４Ｂの回りを旋回することができる。このようにアームの可動範囲が大きいため、ユーザーは、載置台３を所望の位置へ移動させることができる。
【００２３】
また、図２に示したように、ホルダー１を２種類の姿勢のいずれかで着脱自在に支持軸部１３ｂに取り付け、適度な摩擦力を付与しつつ回転自在に支持軸部１３ｂに取り付けることができる。したがって、ユーザーは、自己の仰向け姿勢，俯せ姿勢もしくは上体が起きた姿勢などに応じて、載置台３の位置や方向を細かく調整することが可能である。アームホルダー５のクリップ９による挟持力を緩めてアームホルダー５に対して取付軸部１２ｂをスライドさせることで、基台１６に対する載置台３の高さ調整も可能である。
【００２４】
また、図１を参照すると、第２アーム部材１３の接続軸部１３ａは、第１アーム部材１２の接続軸部１２ａと中心軸線１４Ｂの回りに旋回可能に連結され、且つ接続軸部１２ａにより下方から支持されている。このため、比較的重い被見物ＢＫが載置台３に載せられても、スタンドＳＴ１は被見物ＢＫの荷重に耐え得る構造を有している。
【００２５】
さらに、爪部８を持つクリップ９により、ネジなどで締め付けることなく、アームホルダー５およびホルダー１をそれぞれ第１アーム部材１２および第２アーム部材１３に回転自在に且つスライド可能に取り付けることができるため、載置台３の高さ調整や旋回調整が容易に可能である。
【００２６】
上記の如きスタンドＳＴ１を読書スタンドとして使用する場合、従来の読書スタンドは、仰向けでしか読むことが出来なかったが、本実施例の読書スタンド１０は、上体を起こしても読むことが出来るようにしたものであり、姿勢を変えて読書に親しむことが出来るようになり、特に病床にある人々にとって読書の手助けとなる。
【００２７】
上記ホルダー１の代わりに、図８に示すようなホルダー１Ａを用いてもよい。このホルダー１Ａは、本体４と、フック２と、これら本体４とフック２とを回動自在に連結するジョイント１０Ａとで構成されている。ホルダー１Ａの本体４とフック２は、それぞれ、上記ホルダー１の本体４とフック２と略同じ機能および構成を有するものである。フック２は、本体４に対してジョイント１０Ａの中心軸線の回りに回動自在に配置されており、ジョイント１０Ａにより適度な摩擦力を受けつつ回転し得る。このような構成により、傾斜面２ｃの角度を連続可変に調整することができる。なお、フック２に装着する負荷の重量が大きい場合は、ジョイント１０Ａをネジで締め付けて摩擦力を強くするのが望ましい。
【００２８】
＜第２実施例＞
図９は、本発明による第２実施例のスタンドＳＴ２の構成を概略的に示す図である。このスタンドＳＴ２は、書物や，電子ペーパーなどの薄型電子ディスプレイのような被見物７０または被見物載置台７０を保持するホルダー６０と、Ｌ字形状の第１および第２アーム部材４０，４１と、基台２９に固定されるアームホルダー３２とを有するものである。
【００２９】
第１アーム部材４０と第２アーム部材４１の各々はＬ字形状を有し、たとえば、強度と軽量化を考慮して、中空状で断面円形の金属製パイプをアングル状に折り曲げ加工することで作製される。第１アーム部材４０は、折り曲げ位置から一方に延びる接続軸部４０ａと、そこから他方に延びる取付軸部４０ｂとからなり、また、第２アーム部材４１は、折り曲げ位置から一方に延びる接続軸部４１ａと、そこから他方に延びる支持軸部（ホルダー装着軸）４１ｂとからなる。本実施例では、第１アーム部材４０は、一本の金属製パイプで構成されているが、この代わりに、独立した部材同士を接合することで構成されてもよい。第２アーム部材４１を構成する接続軸部４１ａと支持軸部４１ｂについても同様である。
【００３０】
第１アーム部材４０の取付軸部４０ｂは、中心軸線１４Ｅの回りに回動自在にアームホルダー３２に取り付けられ支持されている。このアームホルダー３２は、ネジ３６Ａ，３６Ｂ，…を用いてクランプ３０の側面に固定されており、クランプ３０は、固定用ネジ３１を用いて基台２９を挟持して基台２９に固定されている。固定用ネジ３１を緩めてアームホルダー３２を基台２９から取り外し、他の基台（図示せず）に固定することも可能である。
【００３１】
第１アーム部材４０と第２アーム部材４１は、ジョイント４２によって連結されている。ジョイント４２は、第１アーム部材４０の接続軸部４０ａに固定される第１連結部材４４と、第２アーム部材４１の接続軸部４１ａに回動自在に取り付けられる第２連結部材４５と、調整ネジ４３と、結合ピン４６とで構成されている。第１連結部材４４と第２連結部材４５とは、第１の中心軸線１４Ｆの回りに回動自在に連結されており、第２アーム部材４１の接続軸部４１ａは、第１の中心軸線１４Ｆと直交する第２の中心軸線１４Ｇの回りに回動自在に第２連結部材４５と結合している。また、第２アーム部材４１の先端部すなわち支持軸部４１ｂには、ホルダー６０が中心軸線１４Ｈの回りに回動自在に取り付けられている。なお、本実施例では、中心軸線１４Ｆ，１４Ｇの方向は互いに直交しているが、本発明では、中心軸線１４Ｆ，１４Ｇの方向が互いに直交せずに異なるだけでもよい。
【００３２】
図１０は、図９に示したスタンドＳＴ２を上方から見た平面図であり、図１１は、図１０に示したスタンドＳＴ２の右側面図である。但し、図９では、第１アーム部材４０の接続軸部４０ａと第２アーム部材４１の接続軸部４１ａとは互いに並行に配置され、第２アーム部材４１の支持軸部４１ｂと第１アーム部材４０の取付軸部４０ｂとは、互いに並行に配置されている。よって、図９では、３本の中心軸線１４Ｅ，１４Ｆ，１４Ｈが全て同一平面内にある。一方、図１０，１１では、クランプ３０に対して第１アーム部材４０が中心軸線１４Ｅの回りに角度θ１だけ回転し、第１アーム部材４０に対して第２アーム部材４１の接続軸部４１ａが中心軸線１４Ｆの回りに角度θ２だけ回転し、ジョイント４２に対して第２アーム部材４１の接続軸部４１ａが中心軸線１４Ｇの回りに角度θ３だけ回転した姿勢が示されている。
【００３３】
このように本実施例のスタンドＳＴ２では、上記第１実施例と同様に、基台２９に固定されている第１アーム部材４０の接続軸部４０ａは、接続長Ｌ３を旋回半径として中心軸線１４Ｅの回りを旋回することができ、第２アーム部材４１の接続軸部４１ａは、接続長Ｌ４を旋回半径として中心軸線１４Ｆの回りを旋回することができる。このように、アームの可動範囲が大きいため、ユーザーは、載置台７０を所望の位置に移動させることができる。
【００３４】
また、第２アーム部材４１は、第１アーム部材４０に対して第１の中心軸線１４Ｆの回りに回転自在であり、且つ第１の中心軸線１４Ｆに直交する第２の中心軸線１４Ｇの回りに回転自在であるため、アームの可動範囲が広がり、ユーザーは、第２アーム部材４１の先端に取り付けられた載置台７０の位置および方向を細かく調整することができる。
【００３５】
次に、第１アーム部材４０の取付軸部４０ｂを支持するアームホルダー３２の構造について説明する。図１２（Ａ），（Ｂ）および（Ｃ）は、それぞれ、アームホルダー３２の正面図，左側面図および右側面図を示しており、同図（Ｄ）は、同図（Ｃ）に示したアームホルダー３２のＪ３−Ｊ３線に沿った断面図である。このアームホルダー３２は、上記第１アーム部材４０の取付軸部４０ｂが回動自在に挿入される挿入孔３７を持つ本体３５を有している。この本体３５には、挿入孔３７に連通し当該本体３５の一部を２片に分割するスリット３５Ｓが形成されている。なお、本実施例では、一本のスリット３５Ｓが形成されているが、一本に限らず、複数本のスリットを形成して本体３５の一部を３片以上に分割してもよい。
【００３６】
また、アームホルダー３２は、本体３５の底部を支持するフランジ３８を有している。図１１に示したように、このフランジ３８は、ネジ３６Ａ，３６Ｂ，３６Ｃ，３６Ｄを用いてクランプ３０に固定される。なお、図１３に示されるように、鉛直方向に配置されている基台２９にスタンドＳＴ２を取り付ける場合は、フランジ３８の固定に使用しているネジ３６Ａ〜３６Ｄを取り外し、フランジ３８に対してクランプ３０を９０度回転させた後、クランプ３０を固定用ネジ３１を用いて基台２９に固定し、再度、ネジ３６Ａ〜３６Ｄを用いてフランジ３８をクランプ３０に固定すればよい。
【００３７】
アームホルダー３２は、さらに、本体３５に締付力を締緩自在に付与する締付具として、調整ネジ３３とナット３４とを有している。図１２（Ｄ）の断面図に示されるように、本体３５に形成されたナット取付部３９Ｂにナット３４が装着され、ネジ挿入孔３９Ａに調整ネジ３３の軸部が挿入されナット３４と螺合する。調整ネジ３３を締めると、本体３５は締付力を受けて弾性変形する。この結果、スリット３５Ｓの幅が狭まり、挿入孔３７に挿入されている取付軸部４０ｂが締め付けられ、挿入孔３７の内壁と取付軸部４０ｂとの間に摩擦力が与えられる。調整ネジ３３を緩めると、本体３５への締付力は弱くなり、挿入孔３７の内壁と取付軸部４０ｂとの間の摩擦力が低減する。ユーザーは、調整ネジ３３を緊締することで、取付軸部４０ｂを本体３５に固定し得る一方、調整ネジ３３を適宜緩めて適度な摩擦力を与え、取付軸部４０ｂをスライド自在で且つ回動自在に本体３５に取り付けることができる。
【００３８】
上記アームホルダー３２を容易且つ低コストに製造可能にする観点からは、本体３５とフランジ３８は、プラスチック材料を用いた一体成形により作製するのが好ましい。
【００３９】
次に、ジョイント４２の構造について説明する。図１４は、ジョイント４２の分解図である。このジョイント４２は、接続軸部４０ａに固着される第１連結部材４４と、接続軸部４１ａに回動自在に取り付けられる第２連結部材４５とを有する。第１連結部材４４は貫通孔４４ａを有し、第２連結部材４５は連結軸部４８を有している。第２連結部材４５の連結軸部４８は、第１連結部材４４の貫通孔４４ａに一方の開口部から挿入される。そして、結合ピン（結合具）４６を連結軸部４８の内部の嵌合孔５１に嵌合することにより、第２連結部材４５と第１連結部材４４とを互いに回動自在に連結することができる。
【００４０】
図１５（Ａ）および（Ｂ）は、それぞれ、第２連結部材４５の正面図および背面図を示しており、同図（Ｃ）は、同図（Ａ）に示した第２連結部材４５のＪ４−Ｊ４線に沿った断面図である。この第２連結部材４５は、上記第２アーム部材４１の接続軸部４１ａが回動自在に挿入される挿入孔４９を持つ本体４７を有している。図１５（Ｃ）に示されるように、挿入孔４９の内壁には、当該内壁に対する接続軸部４１ａの摩擦力や滑りやすさを調整する目的で、当該挿入孔４９の中心軸線方向に沿って多数の線状溝が形成されている。本実施例では、それら線状溝は、挿入孔４９の中心軸線方向に沿って形成されているが、これに限らず、たとえば螺旋状に形成されてもよい。
【００４１】
また、第２連結部材４５の本体４７には、挿入孔４９に連通し当該本体４７の一部を２片に分割するスリット４７Ｓが形成されている。なお、本実施例では、一本のスリット４７Ｓが形成されているが、これに限らず、複数本のスリットを本体４７に形成して本体４７を３片以上に分割してもよい。
【００４２】
第２連結部材４５は、さらに、本体４７に締付力を締緩自在に付与する締付具として、調整ネジ４３とナット５３とを有している。図１５（Ｃ）の断面図に示されるように、本体４７に形成されているナット取付部５２にナット５３が装着され、ネジ挿入孔５０に調整ネジ４３の軸部が挿入されナット５３と螺合する。調整ネジ４３を締めると、本体４７は締付力を受けて弾性変形する。この結果、スリット４７Ｓの幅が狭まり、挿入孔４９に挿入されている接続軸部４１ａが締め付けられ、挿入孔４９の内壁と接続軸部４１ａとの間に摩擦力が与えられる。調整ネジ４３を緩めると、本体４７への締付力は弱くなり、本体４７の内壁と接続軸部４１ａとの間の摩擦力が低減する。ユーザーは、調整ネジ４３を緊締することで、接続軸部４１ａを本体４７に固定し得る一方、調整ネジ４３を適宜緩めて適度な摩擦力を与え、接続軸部４１ａをスライド自在で且つ回動自在に第２連結部材４５に取り付けることができる。
【００４３】
上記ジョイント４２を低コストで且つ容易に製造する観点からは、本体４７と連結軸部４８とは、プラスチック材料を用いた一体成形により作製するのが好ましい。
【００４４】
次に、ホルダー６０の構造について説明する。図１６（Ａ），（Ｂ）および（Ｃ）は、それぞれ、ホルダー６０の正面図，平面図および右側面図を示している。このホルダー６０は、上記第２アーム部材４１の支持軸部４１ｂが回動自在に挿入される挿入孔６３を持つ本体６２と、この本体６２の底部を支持するフランジ６４と、本体６２に締付力を締緩自在に付与する締付具６１，６５とを有している。フランジ６４は、書物などの被見物を載せる台と接合される部分である。本体６２には、挿入孔６３に連通し当該本体６２の一部を２片に分割するスリット６２Ｓが形成されている。なお、本実施例では、一本のスリット６２Ｓが形成されているが、一本に限らず、複数本のスリットを本体６２に形成して本体６２の一部を３片以上に分割してもよい。
【００４５】
ホルダー６０は、締付具として調整ネジ６１とナット６５とを有している。本体６２に形成されているナット取付部６６にナット６５が装着され、このナット取付部６６に連通する貫通孔に調整ネジ６１の軸部が挿入されナット６５と螺合する。調整ネジ６１を締めると、本体６２は締付力を受けて弾性変形する。この結果、スリット６２Ｓの幅が狭まり、挿入孔６３に挿入されている支持軸部４１ｂが締め付けられ、挿入孔６３の内壁と支持軸部４１ｂとの間に摩擦力が与えられる。調整ネジ６１を緩めると、本体６２への締付力は弱くなり、挿入孔６３の内壁と支持軸部４１ｂとの間の摩擦力が低減する。ユーザーは、調整ネジ６１を緊締することで、支持軸部４１ｂを本体６２に固定し得る一方、調整ネジ６１を適宜緩めて適度な摩擦力を与え、支持軸部４１ｂをスライド自在で且つ回動自在に本体６２に取り付けることができる。
【００４６】
次に、上記ジョイント４２の変形例について説明する。図１７は、本変形例に係るジョイント８０を概略的に示す図であり、図１８は、このジョイント８０の分解図である。なお、図１７，１８において、上記ジョイント４２（図１４，１５参照）と同じ符号を付された構成要素は、図１４，１５に示された構成要素と同じ機能および構成を有するものとしてその詳細な説明を省略する。
【００４７】
このジョイント８０は、接続軸部４０ａに固着される第１連結部材４４と、接続軸部４１ａに取り付けられる第２連結部材４５Ａとを有している。第２連結部材４５Ａは、本体４７と、この本体４７の下方に設けられた連結軸部４８と、この連結軸部４８の下端に設けられたネジ部８１とで構成されている。第２連結部材４５Ａの連結軸部４８およびネジ部８１は、第１連結部材４４の貫通孔４４ａに一方の開口部から挿入される。そして、ナット付ハンドル８３は、ワッシャ８２を介して、貫通孔４４ａから突出したネジ部８１と螺合している。ナット付ハンドル８３を締めると、ナット付ハンドル８３と連結軸部４８とで第１連結部材４４が締め付けられ、この結果、第１連結部材４４と第２連結部材４５Ａとの間に摩擦力が付与される。ユーザーは、ナット付ハンドル８３を緊締することで、第２連結部材４５Ａの本体４７と第１連結部材４４とを互いに固定し得る一方、ナット付ハンドル８３を適宜緩めて適度な摩擦力を与えて、第１連結部材４４に対して第２連結部材４５Ａを中心軸線１４Ｆの回りに回動自在にすることができる。
【００４８】
このようなジョイント８０により、中心軸線１４Ｆが鉛直方向からずれるようにスタンドＳＴ２を傾けて配置した場合でも、第１アーム部材４０に対する第２アーム部材４１の位置を固定することができる。さらに、中心軸線１４Ｆの方向が鉛直方向に直交する水平方向となるようにスタンドＳＴ２を寝かせて配置した場合でも、ナット付ハンドル８３を緊締することで第１アーム部材４０に対する第２アーム部材４１の位置を固定することが可能である。
【００４９】
＜ホルダー＞
次に、上記ホルダー６０の他の実施例について説明する。図１９は、他の実施例のホルダー６０を概略的に示す図である。同図（Ａ），（Ｂ），（Ｃ）および（Ｄ）は、それぞれ、ホルダー６０の正面図，平面図，右側面図および背面図を示している。なお、図１９において、上記ホルダー６０（図１６参照）と同じ符号を付された構成要素は、図１６に示された構成要素と同じ構成および機能を有するものとしてその詳細な説明を省略する。
【００５０】
図１９を参照すると、ホルダー６０のフランジ６４には、プラスチック製の載置台７０が接合されている。なお、接着剤またはネジなどを用いてフランジ６４を載置台７０の背面に固着してもよいし、あるいは、載置台７０，フランジ６４および本体６２は一体成形されてもよい。
【００５１】
載置台７０は、電子ディスプレイ７３を載置し保持する装着部７２を有し、この装着部７２の底部には、外部ケーブル７４を介して供給される電力またはデータを電子ディスプレイ７３に入力するための電極端子７１が設けられている。
【００５２】
次に、図２０，２１，２２，２３は、ホルダー６０の更に他の実施例を示す図である。図２０（Ａ）は、ホルダー６０の正面図、図２０（Ｂ）は、ホルダー６０の背面図、図２１（Ａ）は、電子ディスプレイ１１０を搭載したホルダー６０の正面図、図２１（Ｂ）は、図２１（Ａ）に示したホルダー６０の底面図、図２２は、図２１（Ａ）に示したホルダー６０の右側面図である。
【００５３】
図２０（Ａ），（Ｂ）を参照すると、このホルダー６０は、電子ディスプレイなどの被見物を後方から支持する受け板９０と、受け板９０に形成されたガイド９１Ａ，９１Ｂに沿って受け板９０の幅方向へ左右にスライド可能に設けられた一対のスライダ９２Ａ，９２Ｂとを有している。これらスライダ９２Ａ，９２Ｂは、プラスチック材料を用いた一体成形により作製され得る。また、スライダ９２Ａ，９２Ｂは、受け板９０に並設され、互いに案内し且つ移動可能なように係合している。
【００５４】
図２０（Ａ）には示されていないが、図２１（Ｂ）に示される通り、このホルダー６０は、スライダ９２Ａ，９２Ｂを被覆する前面カバー９０ｃを備えている。この前面カバー９０ｃにより、被見物を傷つけることなく、スライダ９２Ａ，９２Ｂをスライドさせることが可能である。
【００５５】
受け板９０の背面９０ｂには、ホルダー本体６２に接続するフランジ６４が、固定ネジ６７Ａ，６７Ｂ，６７Ｃ，６７Ｄを用いて固定されている。上述した通り、ホルダー本体６２は、第２アーム部材４１の支持軸部４１ｂに装着される。なお、固定ネジ６７Ａ〜６７Ｄを取り外し、フランジ６４を受け板９０の背面９０ｂに対して９０度回転させた後、再度、固定ネジ６７Ａ〜６７Ｄを用いて背面９０ｂに取り付けることも可能である。
【００５６】
図２３（Ｂ）は、図２３（Ａ）に示されているスライダ９２ＡのＪ５−Ｊ５線に沿った断面図である。ボルト９６Ａの頭部は、スライダ９２Ａに形成されている段部９７Ａに係止し、ボルト９６Ａの軸部は、受け板９０を貫通して背面側のハンドル１０２Ａと螺合する。ユーザーは、ハンドル１０２Ａを締結することでスライダ９２Ａを受け板９０に固定し得る一方、ハンドル１０２Ａを適宜緩めてスライダ９２Ａを受け板９０に対して段部９７Ａに沿って受け板９０の幅方向へ左右にスライド可能にすることができる。このように、ボルト９６Ａとハンドル１０２Ａ（締付具）は、スライダ９２Ａを受け板９０に締緩自在に結合している。同様に、他方のスライダ９２Ｂも、スライダ９２Ａと左右対称の構造を有し、ボルト９６Ｂとハンドル１０２Ｂにより受け板９０に締緩自在に結合されている。
【００５７】
図２１（Ｂ）に示されるように、スライダ９２Ａ，９２Ｂの外側端部は、それぞれ、折曲して前方へ突出する折曲部（突出部）９３Ａ，９３Ｂを構成している。これら折曲部９３Ａ，９３Ｂに、それぞれ、被見物を前方から保持する押さえ板９５Ａ，９５Ｂが、受け板９０の厚み方向すなわち前方および後方へスライド可能に取り付けられている。具体的には、図２１（Ａ），（Ｂ）および図２３（Ｂ）に示されるように、押さえ板９５Ａはネジ軸９５Ａａを有し、このネジ軸９５Ａａは、案内スリット９３Ａｓ（図２２参照）に差し入れられてハンドル９４Ａと螺合する。ユーザーは、ハンドル９４Ａを締結することで押さえ板９５Ａを折曲部９３Ａに固定し得る一方、ハンドル９４Ａを適宜緩めて、押さえ板９５Ａを案内スリット９３Ａｓに沿って前方または後方へ移動させることができる。このように、ハンドル９４Ａと押さえ板９５Ａのネジ軸９５Ａａは、押さえ板９５Ａを折曲部９３Ａに締緩自在に連結している。同様に、他方の押さえ板９５Ｂも、押さえ板９５Ａと左右対称構造を有し、ハンドル９４Ｂに締緩自在に連結されている。
【００５８】
ユーザーは、電子ディスプレイ１１０などの被見物のサイズに応じて、ボルト９６Ａ，９６Ｂを緩めてスライダ９２Ａ，９２Ｂをスライドさせ、被見物の左右側端部をそれぞれ支持し得る折曲部９３Ｂ，９３Ａの位置を調整した後に、ボルト９６Ａ，９６Ｂを締めてそれらの位置を固定することができる。また、ユーザーは、被見物の厚みや形状に応じて、ハンドル９４Ａ，９４Ｂを緩めて押さえ板９５Ａ，９５Ｂをスライドさせて位置調整した後に、ハンドル９４Ａ，９４Ｂを締めてそれらの位置を固定することが可能である。なお、本実施例では、ホルダー６０は、一対のスライダ９２Ａ，９２Ｂを有しているが、一対のスライダ９２Ａ，９２Ｂのうち片方のみを有する構造もあり得る。
【００５９】
図２０を参照すると、ホルダー６０は、被見物の底部を下方から支持する一対の支持部材９８Ａ，９８Ｂを有している。また、図２１，２２に示されるように、支持部材９８Ａ，９８Ｂはそれぞれ前方へ突出する突起部９９Ａ，９９Ｂを有しており、突起部９９Ａ，９９Ｂの上に被見物を載置することができる。これら支持部材９８Ａ，９８Ｂは、受け板９０の前面９０ｆまたは背面９０ｂに沿って上方または下方にスライド可能に受け板９０に取り付けられている。
【００６０】
具体的には、図２１（Ｂ）に示されるように、受け板９０の内部で、支持部材９８Ｂは、ハンドル１０２Ｂとボルト１０１Ｂを用いて受け板９０の内壁に取り付けられている。ボルト１０１Ｂの軸部１０１Ｂａは、支持部材９８Ｂの長円形の孔１００Ｂ（図２０参照）に差し入れられ、受け板９０の内壁を後方へ貫通してハンドル１０２Ｂと螺合する。同様に、支持部材９８Ａの長円形の孔１００Ａ（図２０参照）にボルト１０１Ａの軸部が差し入れられ、受け板９０の内壁を貫通してハンドル１０２Ａと螺合することで支持部材９８Ａは受け板９０の内壁に取り付けられている。ユーザーは、ハンドル１０２Ａ，１０２Ｂを締結することで支持部材９８Ａ，９８Ｂを受け板９０に固定し得る。一方、図２０に示されるように、ユーザーは、ハンドル１０２Ａ，１０２Ｂを適宜緩めて、支持部材９８Ａ，９８Ｂを上下方向に移動させて位置決めすることができ、さらに、支持部材９８Ａ，９８Ｂが受け板９０に結合される結合点、すなわち、ボルト１０１Ａ，１０１Ｂの中心軸線の回りに回転させることができる。
【００６１】
なお、一対の支持部材９８Ａ，９８Ｂの代わりに１つの支持部材を設けてもよいし、もしくは３つ以上の支持部材を設けても構わない。一般に支持部材の個数が多い程に、ホルダー６０に載せる被見物の姿勢が安定しやすくなる一方、製造コストが上昇するため、被見物の重さや形状などを考慮して支持部材の個数を決めるのが好ましい。
【００６２】
次に、図２４（Ａ）は、図２０〜２３に示したホルダー６０の変形例を示す図、同図（Ｂ）は、同図（Ａ）に示した変形例のＪ６−Ｊ６線に沿った断面図、そして同図（Ｃ）は、同図（Ｂ）に示したホルダーのＪ７−Ｊ７線に沿った矢視図である。
【００６３】
この変形例では、受け板９０の前面９０ｆに形成されているガイド９１Ｃ，９１Ｄに沿って受け板９０の幅方向へ左右にスライド可能に一対のスライダ９２Ａｃ，９２Ｂｃが設けられている。これらスライダ９２Ａｃ，９２Ｂｃは金属プレートからなり、前面９０ｆ上で重なり合っている。図２４（Ｂ）の断面図に示されるように、スライダ９２Ａｃ，９２Ｂｃの外側端部は、それぞれ、折曲して前方へ突出する折曲部９３Ａｃ，９３Ｂｃを構成している。これら折曲部９３Ａｃ，９３Ｂｃに、それぞれ、押さえ板９５Ａｃ，９５Ｂｃが、受け板９０の厚み方向すなわち前方および後方へスライド可能に取り付けられている。押さえ板９５Ａｃのネジ軸は、折曲部９３Ａｃの長円形の案内孔１１１Ａに差し入れられ、ハンドル９４Ａと螺合している。他方の押さえ板９５Ｂｃのネジ軸も、折曲部９３Ｂｃの長円形の案内孔１１１Ｂに差し入れられ、ハンドル９４Ｂと螺合している。ハンドル９４Ａ，９４Ｂが締結されれば、押さえ板９５Ａｃ，９５Ｂｃはそれぞれ折曲部９３Ａｃ，９３Ｂｃに固定される一方、ハンドル９４Ａ，９４Ｂを適宜緩めると、押さえ板９５Ａｃ，９５Ｂｃはそれぞれ案内孔１１１Ａ，１１１Ｂに沿って移動可能になる。
【００６４】
また、スライダ９２Ａｃは、ボルト９６Ａとハンドル１０２Ａにより受け板９０に取り付けられ、他方のスライダ９２Ｂｃも、ボルト９６Ｂとハンドル１０２Ｂにより受け板９０に取り付けられている。ボルト９６Ａ，９６Ｂの軸部は、それぞれ、受け板９０の貫通孔を通してハンドル１０２Ａ，１０２Ｂと螺合している。ハンドル１０２Ａ，１０２Ｂを締結することでスライダ９２Ａｃ，９２Ｂｃを受け板９０に固定し得る一方、ハンドル１０２Ａ，１０２Ｂを適宜緩めてスライダ９２Ａｃ，９２Ｂｃをそれぞれ案内孔１１２Ａ，１１２Ｂに沿ってスライド可能な状態にすることが可能である。
【００６５】
図２５に、上記スライダ９２Ａｃ，９２Ｂｃの変形例を示す。図２５の断面図に示されるように、一方のスライダ９２Ａｃの両端部はそれぞれ折曲することで案内壁１１３Ａ，１１３Ｂを形成している。また、一方のスライダ９２Ａｃの形状に合わせて他方のスライダ９２Ｂｃの両端部もそれぞれ折曲しており、スライダ９２Ｂｃはスライダ９２Ａｃに嵌合する。スライダ９２Ｂｃは、スライダ９２Ａｃの案内壁１１３Ａ，１１３Ｂに沿ってスライドすることができる。
【００６６】
なお、上記受け板９０の内部に、ＦＭ電波やＴＶ電波などを受信する受信回路や、ＣＤ（コンパクト・ディスク）などの記憶媒体から音楽データなどを再生するオーディオ回路を組み込んでもよい。これにより、ユーザーは、音楽などを聴きつつ読書などを楽しむことが可能になる。
【００６７】
次に、図２６（Ａ）は、図２４に示したホルダーの更に他の変形例を示す図、同図（Ｂ）は、同図（Ａ）に示した変形例のＪ８−Ｊ８線に沿った断面図である。また、図２７（Ａ）は、図２６（Ｂ）に示した変形例のＪ９−Ｊ９線に沿った矢視図、図２７（Ｂ）は、図２６（Ｂ）に示した変形例のＪ１０−Ｊ１０線に沿った矢視図である。
【００６８】
この変形例では、図２４に示したホルダーと同様に、受け板９０Ａに形成されているガイド９１Ｃ，９１Ｄに沿って受け板９０の幅方向へ左右にスライド可能に一対のスライダ９２Ａｃ，９２Ｂｃが設けられている。これらスライダ９２Ａｃ，９２Ｂｃは金属プレートからなり、前面９０ｆ上で重なり合っている。図２６（Ｂ）の断面図に示されるように、スライダ９２Ａｃ，９２Ｂｃの外側端部は、それぞれ、折曲して前方へ突出する折曲部９３Ａｃ，９３Ｂｃを構成している。これら折曲部９３Ａｃ，９３Ｂｃに、それぞれ、押さえ板１２１Ａ，１２１Ｂが、受け板９０Ａの幅方向の軸線の回りに回動自在に取り付けられている。より具体的には、環状の回転部材１２０Ａ，１２０Ｂの外側に突出するネジ軸が、それぞれ、折曲部９３Ａｃ，９３Ｂｃの軸孔に差し入れられ、ハンドル９４Ａ，９４Ｂと螺合している。さらに、回転部材１２０Ａ，１２０Ｂの内側に突出するネジ軸が、それぞれ、押さえ板１２１Ａ，１２１Ｂと螺合しこれらを保持している。ハンドル９４Ａ，９４Ｂが締結されれば、押さえ板１２１Ａ，１２１Ｂを保持する回転部材１２０Ａ，１２０Ｂは、それぞれ折曲部９３Ａｃ，９３Ｂｃに固定される一方、ハンドル９４Ａ，９４Ｂを適宜緩めると、回転部材１２０Ａ，１２０Ｂはそれぞれ折曲部９３Ａｃ，９３Ｂｃの軸孔の回りを回動可能になる。
【００６９】
また、図２７（Ａ），（Ｂ）に示されるように、回転部材１２０Ａの回転に伴い、押さえ板１２１Ａの位置も受け板９０の厚み方向に変化する。ユーザーは、ハンドル９４Ａ，９４Ｂを適宜緩めて、回転部材１２０Ａ，１２０Ｂを回転させることで、被見物の形状や厚みなどに合わせて、押さえ板１２１Ａ，１２１Ｂを所望の位置に定めることが可能である。
【００７０】
また、図２６（Ａ）には示されていないが、図２６（Ｂ）に示される通り、本変形例は、スライダ９２Ａｃ，９２Ｂｃやボルト９６Ａ，９６Ｂを被覆する前面カバー９０Ａｃを備えている。この前面カバー９０Ａｃにより、被見物を傷つけることなく、スライダ９２Ａｃ，９２Ｂｃをスライドさせることが可能である。なお、前面カバー９０Ａｃの高さと略一致する高さを有する調整部材１２２Ａ，１２２Ｂが、それぞれ、ネジ部材１２３Ａ，１２３Ｂを用いてスライダ９２Ａｃ，９２Ｂｃに取り付けられている。
【図面の簡単な説明】
【００７１】
【図１】本発明による第１実施例のスタンドの構成を概略的に示す正面図である。
【図２】第１実施例のスタンドの先端部付近を拡大表示する側面図である。
【図３】第１実施例のホルダーを概略的に示す斜視図である。
【図４】載置台の背面を概略的に示す図である。
【図５】図４に示したフック受け部のＪ１−Ｊ１線に沿った断面図である。
【図６】クリップの平面図である。
【図７】図６に示したクリップのＪ２−Ｊ２線に沿った断面図である。
【図８】第１実施例のホルダーの変形例を示す図である。
【図９】本発明による第２実施例のスタンドの構成を概略的に示す図である。
【図１０】図９に示したスタンドを上方から見た平面図である。
【図１１】図１０に示したスタンドの右側面図である。
【図１２】（Ａ），（Ｂ）および（Ｃ）は、それぞれ、アームホルダーの正面図，左側面図および右側面図であり、（Ｄ）は、（Ｃ）に示したアームホルダーのＪ３−Ｊ３線に沿った断面図である。
【図１３】第２実施例のスタンドのクランプを示す図である。
【図１４】第２実施例のスタンドのジョイントの分解図である。
【図１５】（Ａ）および（Ｂ）は、それぞれ、第２連結部材の正面図および背面図であり、（Ｃ）は、（Ａ）に示した第２連結部材のＪ４−Ｊ４線に沿った断面図である。
【図１６】（Ａ），（Ｂ）および（Ｃ）は、それぞれ、ホルダーの正面図，平面図および右側面図である。
【図１７】第２実施例のジョイントの変形例を示す図である。
【図１８】変形例に係るジョイントの分解図である。
【図１９】他の実施例のホルダーを概略的に示す図であり、（Ａ），（Ｂ），（Ｃ）および（Ｄ）は、それぞれ、ホルダーの正面図，平面図，右側面図および背面図である。
【図２０】更に他の実施例のホルダーを概略的に示す図であり、（Ａ）および（Ｂ）は、それぞれ、ホルダーの正面図および背面図である。
【図２１】（Ａ）は、電子ディスプレイを搭載したホルダーの正面図であり、（Ｂ）は、図２１（Ａ）に示したホルダーの底面図である。
【図２２】図２１（Ａ）に示したホルダーの右側面図である。
【図２３】（Ａ）は、一方のスライダを示す図であり、（Ｂ）は、（Ａ）に示されているスライダのＪ５−Ｊ５線に沿った断面図である。
【図２４】（Ａ）は、ホルダーの変形例を示す図であり、（Ｂ）は、（Ａ）に示したホルダーのＪ６−Ｊ６線に沿った断面図であり、（Ｃ）は、（Ｂ）に示したホルダーのＪ７−Ｊ７線に沿った矢視図である。
【図２５】スライダの変形例の断面を概略的に示す図である。
【図２６】（Ａ）は、ホルダーの他の変形例を示す図であり、（Ｂ）は、（Ａ）に示したホルダーのＪ８−Ｊ８線に沿った断面図である。
【図２７】（Ａ）は、図２６に示したホルダーのＪ９−Ｊ９線に沿った矢視図であり、（Ｂ）は、図２６に示したホルダーのＪ１０−Ｊ１０線に沿った矢視図である。
【符号の説明】
【００７２】
ＳＴ１，ＳＴ２  スタンド
ＢＫ  被見物
１  ホルダー（第１ホルダー）
３  載置台
５，３２  アームホルダー
８  爪部
９  クリップ
１１Ａ，３０  クランプ
１２  第１アーム部材
１３  第２アーム部材
１４Ａ〜１４Ｈ  中心軸線
１６，２９  基台
４０  第１アーム部材
４１  第２アーム部材
４２  ジョイント
４４  第１連結部材
４５，４５Ａ  第２連結部材
【図１】
2005137882.tif 000003
【図２】
2005137882.tif 000004
【図３】
2005137882.tif 000005
【図４】
2005137882.tif 000006
【図５】
2005137882.tif 000007
【図６】
2005137882.tif 000008
【図７】
2005137882.tif 000009
【図８】
2005137882.tif 000010
【図９】
2005137882.tif 000011
【図１０】
2005137882.tif 000012
【図１１】
2005137882.tif 000013
【図１２】
2005137882.tif 000014
【図１３】
2005137882.tif 000015
【図１４】
2005137882.tif 000016
【図１５】
2005137882.tif 000017
【図１６】
2005137882.tif 000018
【図１７】
2005137882.tif 000019
【図１８】
2005137882.tif 000020
【図１９】
2005137882.tif 000021
【図２０】
2005137882.tif 000022
【図２１】
2005137882.tif 000023
【図２２】
2005137882.tif 000024
【図２３】
2005137882.tif 000025
【図２４】
2005137882.tif 000026
【図２５】
2005137882.tif 000027
【図２６】
2005137882.tif 000028
【図２７】
2005137882.tif 000029